(57)【特許請求の範囲】
【請求項１】
押圧によって移動し、扉を開放するための操作部と、該操作部における押圧操作される部分の反対側に対向しており、操作部への押圧操作によって操作部から離反する方向に回動する回動部と、押圧方向と反対向きに、押圧操作されるべき初期位置から前記操作部が移動することを阻止する阻止部と、前記扉を閉鎖するロック部と、該ロック部及び回動部を連結しており、前記操作部に接近する方向に前記回動部を付勢している弾性部とを備え、前記操作部への押圧操作によって前記回動部を回動させて、前記ロック部による扉の閉鎖を解除する扉開閉機構において、
前記操作部は、
前記回動部に対向する対向板と、
該対向板から前記回動部に向けて突出しており、前記回動部に当接している当接部と
を有し、
前記操作部が非操作状態にある場合に、前記当接部は前記回動部に直接的に当接しており、
前記弾性部の付勢力によって前記当接部が前記回動部に押圧され、前記押圧方向と反対向きへの前記操作部の移動が前記阻止部によって阻止されるようにしてあること
を特徴とする扉開閉機構。
【請求項２】
前記回動部はブロック状をなし、
前記回動部における前記当接部が当接している部分は前記当接部に向けて曲面状に突出していること
を特徴とする請求項１に記載の扉開閉機構。
【請求項３】
前記操作部及び回動部それぞれは軸長方向が同じ枢軸を備えており、
前記操作部は前記操作によって回動して前記回動部を押圧するようにしてあり、
前記回動部は前記操作部の回動を案内する案内部を備えること
を特徴とする請求項１又は２に記載の扉開閉機構。
【請求項４】
開口を有する筐体と、前記開口を開閉する扉と、該扉を開閉する請求項１から３のいずれか一つに記載の扉開閉機構と、前記筐体内に設けてあり、洗濯物を収容する収容部とを備えることを特徴とする洗濯機。
【発明の詳細な説明】
【技術分野】
【０００１】
本発明は扉を開閉する扉開閉機構及び洗濯物が投入される筐体の開口に設けた扉を扉開閉機構によって開閉する洗濯機に関する。
【背景技術】
【０００２】
一般に洗濯物を収容する回転ドラム（収容部）を備える洗濯機は、回転ドラムを収容する筐体を備え、該筐体には回転ドラムの開口を臨む位置に洗濯物を投入する投入口を開設してある。投入口には扉が設けてあり、洗濯機は扉を開閉する開閉機構を備える（例えば特許文献１参照）。
【０００３】
特許文献１には、扉体の開放操作を行うための扉開ボタン（操作部）と、該扉開ボタンへの押圧操作によって回動する開閉操作部材（回動部）と、扉体を閉鎖状態に保持するロック部と、該ロック部及び開閉操作部材を連結した引っ張りばねである係合スプリング（弾性部）とを備える洗濯機が開示してある。係合スプリングの付勢力によって開閉操作部材は、扉開ボタンへの操作による回動方向と逆向きに付勢されている。扉の縁部にラッチが突設してあり、開口の縁部にはラッチを受けるラッチ受けが設けてある。ラッチがラッチ受けに挿入された場合、ロック部によってラッチは係止され、扉体は閉鎖状態を維持する。
【０００４】
扉開ボタンは、両面がそれぞれ前後に位置するように配置された板状をなし、前面は筐体の外部に露出している。扉開ボタンの後面には後方に突出したボス部と、該ボス部を内側に挿入し、ボス部よりも後方に突出した圧縮ばねである押上ばねと、ボス部と同方向に突出した押圧突起とを備える。扉開ボタンと開閉操作部材とは前後に対向している。押上ばねは扉開ボタン及び開閉操作部材の間に介装してあり、その弾性力によって扉開ボタンを前方へ付勢している。
【０００５】
ユーザが扉開ボタンを後方へ押圧した場合、押上ばねは短縮され、押圧突起が開閉操作部材を押圧し、係合スプリングが引っ張られ、ロック部によるラッチの係止が解除され、扉体の閉鎖状態は解除される。ユーザは扉体を開いて、洗濯物を回転ドラムに投入するか又は回転ドラムから取り出すことできる。
【先行技術文献】
【特許文献】
【０００６】
【特許文献１】特開２００５−１３７５０８号公報
【発明の概要】
【発明が解決しようとする課題】
【０００７】
押上ばねはボス部をガイドとして扉開ボタンの後面に取り付けてあるので、押上ばねを設けるためにはボス部が必須となり、構成が複雑化し、製造費用も嵩む。またボス部と開閉操作部材との隙間は小さく、押上ばねをボス部に装着する作業は長時間を要する。更に押上ばねは、扉開ボタン等と比較して小さい部品であり、作業者がボス部への装着を失念し易く、この場合、洗濯機の出荷後に修理を行わなければならない。
【０００８】
本発明は斯かる事情に鑑みてなされたものであり、簡素な構成にて扉の開閉を可能にして、製造費用の削減を図ることができ、また組立時間の短縮を図り、出荷後の修理を回避することができる扉開閉機構及び該扉開閉機構を備える洗濯機を提供することを目的とする。
【課題を解決するための手段】
【０００９】
本発明に係る扉開閉機構は、押圧によって移動し、扉を開放するための操作部と、該操作部における押圧操作される部分の反対側に対向しており、操作部への押圧操作によって操作部から離反する方向に回動する回動部と、押圧方向と反対向きに、押圧操作されるべき初期位置から前記操作部が移動することを阻止する阻止部と、前記扉を閉鎖するロック部と、該ロック部及び回動部を連結しており、前記操作部に接近する方向に前記回動部を付勢している弾性部とを備え、前記操作部への押圧操作によって前記回動部を回動させて、前記ロック部による扉の閉鎖を解除する扉開閉機構において、前記操作部は、前記回動部に対向する対向板と、該対向板から前記回動部に向けて突出しており、前記回動部に当接している当接部とを有し、前記操作部が非操作状態にある場合に、前記当接部は前記回動部に直接的に当接しており、前記弾性部の付勢力によって前記当接部が前記回動部に押圧され、前記押圧方向と反対向きへの前記操作部の移動が前記阻止部によって阻止されるようにしてあることを特徴とする。
【００１０】
本発明においては、回動部に向けて突出した当接部を操作部に設け、弾性部の付勢力によって操作部への押圧操作による回動方向と逆向きに回動部を回動させているので、回動部によって当接部が押圧される。その結果、操作部及び回動部の間に弾性部材を介在させることなく、操作部は押圧操作における押圧方向と逆向きに押圧される。
【００１１】
本発明に係る扉開閉機構は、前記回動部はブロック状をなし、前記回動部における前記当接部が当接している部分は前記当接部に向けて曲面状に突出していることを特徴とする。
【００１２】
本発明においては、回動部における当接部に当接した部分は当接部に向けて曲面状に突出し、当接部からの押圧力又は弾性部の付勢力による回動部の回動が円滑に行われる。
【００１３】
本発明に係る扉開閉機構は、前記操作部及び回動部それぞれは軸長方向が同じ枢軸を備えており、前記操作部は前記操作によって回動して前記回動部を押圧するようにしてあり、前記回動部は前記操作部の回動を案内する案内部を備えることを特徴とする。
【００１４】
本発明においては、案内部によって操作部の回動が案内され、操作部を確実に回動させることができる。
【００１５】
本発明に係る洗濯機は、開口を有する筐体と、前記開口を開閉する扉と、該扉を開閉する上述したいずれか一つの扉開閉機構と、前記筐体内に設けてあり、洗濯物を収容する収容部とを備えることを特徴とする。
【００１６】
本発明においては、上述したいずれか一つの扉開閉機構によって、洗濯機の筐体の開口に設けた扉を開閉する。
【発明の効果】
【００１７】
本発明に係る扉開閉機構及び洗濯機にあっては、回動部に向けて突出した当接部を操作部に設け、弾性部の付勢力によって操作部への押圧操作による回動方向と逆向きに回動部を回動させているので、回動部によって当接部が押圧される。その結果、操作部及び回動部の間に弾性部材を介在させることなく、操作部は押圧操作における押圧方向と逆向きに押圧される。そのため従来、操作部及び回動部の間に設けていた弾性部材及び弾性部材の装着をガイドする部材を廃止して、構成の簡素化及び製造費用の削減を図ることができる。また上述した弾性部材を装着する必要がないので、組立時間の短縮を図ることができ、また弾性部材の装着を失念することによる出荷後の修理を回避することができる。
【図面の簡単な説明】
【００１８】
【図１】実施の形態に係る洗濯機の外観を略示する斜視図である。
【図２】洗濯乾燥機の内部構成を略示する縦断面図である。
【図３】扉の開閉を行う扉開閉機構を略示する斜視図である。
【図４】扉開閉機構を略示する縦断面図である。
【図５】扉開ボタン及び回動部を略示する拡大縦断面図である。
【図６】扉開ボタンの後面を略示する斜視図である。
【図７】回動部を略示する斜視図である。
【発明を実施するための形態】
【００１９】
以下本発明を実施の形態に係る洗濯機を示す図面に基づいて詳述する。図１は、実施の形態に係る洗濯機の外観を略示する斜視図、図２は、洗濯乾燥機の内部構成を略示する縦断面図である。
【００２０】
図２に示すように、洗濯乾燥機は、筐体１の内部に水槽２及び回転ドラム３を備えている。水槽２は、一側の端部全面に開口２０を有する大径の有底円筒体であり、筐体１の底面に立設された複数本の支持脚２１（１本のみ図示）により、開口２０の側を上向きとし、水平面に対して軸心を傾けた傾斜姿勢を保って弾性支持されている。
【００２１】
筐体１の前面（図２の左側面）には、水槽２の開口２０を臨む位置に、扉１０による開閉自在に洗濯物の投入口１１が開設してあり、該投入口１１と水槽２の開口２０との間は、ベローズ１２により液密に封止されている。図１に示すように、筐体１の前面には、扉１０の近傍に扉開ボタン（操作部）１３が設けてある。扉１０の右縁部分に後方に突出したラッチ１００が設けてある。ラッチ１００は左右に貫通したロック孔１０１を備える。投入口１１の右縁部分にラッチ１００を挿入する挿入孔１１０が設けてある。
【００２２】
扉１０を投入口１１に近接させて、ラッチ１００を挿入孔１１０に挿入した場合、後述するロック装置のロック部材（不図示）がロック孔１０１に挿入され、扉１０は閉鎖される。扉開ボタン１３が後方へ押圧操作された場合、ロック装置が動作し、ロック部材がロック孔１０１から引き抜かれ、扉１０の閉鎖が解除される。
【００２３】
回転ドラム３は、水槽２よりもやや小径の有底円筒体であり、一側の開口３０を水槽２の開口２０の内側に臨ませ、水槽２の底部中央に固設されたドラムモータ４の出力軸４０の端部に連結し、該ドラムモータ４の駆動により、水槽２の内部で同軸上にて回転するようになしてある。回転ドラム３の周壁には、多数の小孔３２が全面に亘って貫通形成されており、また周壁内面には、軸長方向に延びるバッフル３３が、周方向に等配をなして複数突設されている。なお図２中には、図面の煩雑化を避けるべく、小孔３２の一部と一つのバッフル３３のみを図示してある。
【００２４】
以上の如く構成された洗濯乾燥機の洗濯運転は、扉１０を開放し、投入口１１の内側に位置する開口２０，３０を経て回転ドラム３内に洗濯物を投入し、前記扉１０を閉止した後、後述するように水槽２の内部に洗濯水を給水した後、ドラムモータ４を駆動して回転ドラム３をタンブリングさせて実施される。前述したように回転ドラム３は、多数の小孔３２と複数のバッフル３３とを備えており、回転ドラム３の内部の洗濯物は、小孔３２を経て回転ドラム３内に浸入する洗濯水中に浸され、バッフル３３の作用による持ち上げ及び落下を繰り返し、落下時に回転ドラム３の内面に叩きつけられて洗濯される。
【００２５】
図１に示すように、筐体１の前面上部には、各種の操作のための操作部及び各種の表示のための表示部を備える操作パネル１５が設けてある。該操作パネル１５は、筐体１の下部内側に設けた運転制御部８（図２参照）に接続してある。前述した洗濯運転、及び後述する乾燥運転、更には、これらの間に実施される脱水運転は、操作パネル１５の操作に応じた運転制御部８の動作により、一連の処理、又は個々に独立した処理として実行される。
【００２６】
図１に示すように筐体１の後部上面には、水道等の給水源との接続が可能な接続口５０が設けてある。この接続口５０は、図２に示すように、筐体１の内側に設けた給水弁５１に接続してある。給水弁５１は、複数の給水出口を有する多連形の電磁弁であり、第１給水出口は、主給水管５２を介して水槽２の上部周面に接続されている。給水弁５１が第１給水出口に切換えられた場合、給水源からの給水は、主給水管５２を経て水槽２の内部に送り込まれる。主給水管５２の中途には、公知のように洗剤ケースを配置し、給水と共に適量の洗剤が導入されるように構成することができる。
【００２７】
給水弁５１の第２給水出口は、小径の副給水管５３を介して後述する給水ノズル５４に接続してある。給水ノズル５４は、後述する導入ダクト６１の内部に開口している。給水弁５１が第２給水出口に切換えられた場合、給水源からの給水は、副給水管５３を経て給水ノズル５４に達し、導入ダクト６１の内部に送り込まれる。
【００２８】
給水弁５１の第３給水出口は、冷却水管５５を介して、水槽２の前下部に連結してある。水槽２には、下部周面に前後方向に延びる凹溝２２が形成されており、該凹溝２２の上部を覆うように冷却板２３が架設してある。冷却板２３は、後部を下として傾斜しており、上表面に並設された複数の凹部を備えている。給水弁５１が第３給水出口に切換えられた場合、給水源からの給水は、冷却水管５５を通って冷却板２３の前上部に送り込まれ、複数の凹部内に順次滞留しながら冷却板２３の上表面に沿って後方に流れて、後述のように循環する乾燥風を冷却する冷却水として使用される。
【００２９】
凹溝２２の後端部には、排水管２４が接続されている。該排水管２４は、筐体１内側の前下部に固定支持された筒形のフィルタケース２５に接続されている。フィルタケース２５の内部には、繊維屑等の異物を捕捉するリントフィルタが収容されている。フィルタケース２５は、図示しない通水管を介して循環ポンプ１２０に接続してあり、該循環ポンプ１２０の吐出側は、戻し管１２１を介して水槽２の前側上部に連通されている。
【００３０】
排水弁２６が閉である場合、水槽２の内部に給水された洗濯水は、排水管２４を経てフィルタケース２５内部に入り、該フィルタケース２５を満たした後、通水管、排水管２４及び水槽２の内部に溜まる。洗濯水は、循環ポンプ１２０を駆動することにより、該循環ポンプ１２０に吸い込まれて昇圧され、戻し管１２１を経て水槽２の上部に送られ、該戻し管１２１の先端から回転ドラム３の内部に給水される。
【００３１】
排水弁２６は、洗濯運転の後に開放される。この開放により水槽２内の洗濯水は、排水管２４及びフィルタケース２５を経て排水ホース２７に排水される。
【００３２】
洗濯乾燥機は、水槽２及び回転ドラム３内に供給される乾燥風が通流する乾燥風路を更に備えている。乾燥風路は、水槽２と一体形成された導出ダクト６０及び導入ダクト６１を有している。
【００３３】
導入ダクト６１は、水槽２の底面の中心部に設けた円形部と、該円形部の一端に連続し、斜め上方に立ち上がる直線部とを備える。直線部の上端は、水槽２の上部周面に上向きに突設された導入管６４に連通している。また円形部の中心位置には、ドラムモータ４の出力軸４０が突出しており、この突出部と同軸をなし、水槽２の内部に向けて開口する円形断面の導入口６５が開設されている。
【００３４】
図２に示すように、水槽２の上部には、乾燥風を起風する送風ファン７０が配してある。該送風ファン７０の吸込側は、連結ダクト６９を介して導出ダクト６０に連結している。連結ダクト６９には塵埃を除去するフィルタ７１が介装してある。送風ファン７０の吐出側にヒータ７２が設けてあり、送風ファン７０及びヒータ７２はユニット化してある。ヒータ７２は導入管６４の端部に連結している。
【００３５】
送風ファン７０が駆動された場合、吸込側に連結された導出ダクト６０から乾燥風が吸い込まれて加圧され、吐出側に連結された導入ダクト６１に送り出される。導入ダクト６１内に送り出される乾燥風は、水槽２の外周から中央に向けて流れて導入口６５に達し、回転ドラム３内に導入される。回転ドラム３内に導入された乾燥風は、周壁に形成された多数の小孔３２を通って水槽２内に流出し冷却板２３上を流れる冷却水と接触して冷却され、含有水分を凝縮除去された乾き空気となって、導出ダクト６０内に導出され、送風ファン７０に再度吸い込まれる。乾燥風は、回転ドラム３内の洗濯物に当たり、該洗濯物の水分を奪う。
【００３６】
図３は、扉１０の開閉を行う扉開閉機構Ｄを略示する斜視図、図４は、扉開閉機構Ｄを略示する縦断面図、図５は、扉開ボタン１３及び回動部１３１を略示する拡大縦断面図、図６は、扉開ボタン１３の後面を略示する斜視図、図７は、回動部１３１を略示する斜視図である。なお図６及び図７は扉開閉機構Ｄの構成を説明するために係止爪１３ｆ及び爪受部１３６による係止を解除した状態を示しているが、本発明は係止爪１３ｆが爪受部１３６に係止しているものである。
【００３７】
扉開閉機構Ｄは後述する当接部１３ｅ、引張ばね１４０及びロック装置１５０等を備える。図５及び図６に示すように、扉開ボタン１３は、円板部１３ａと、該円板部１３ａ後面の周縁部分から後方に向けて延出しており、円板部１３ａに直角な周壁部１３ｂと、該周壁部１３ｂの上下方向一側から外向きに延出しており、後述する収容体１３０に連結するための左右に長い矩形状をなす連結部１３ｃを備える。前記一側に対向する周壁部１３ｂの他側には、後述する爪受部１３６に係止する係止爪１３ｆが設けてある。係止爪１３ｆは周壁部１３ｂの端部から外向きに突出している。
【００３８】
連結部１３ｃの左右端部それぞれから枢軸１３ｈ、１３ｈが突出しており、各枢軸１３ｈ、１３ｈは後述する収容体１３０の上端部左右側面に回動可能に設けてある。周壁部１３ｂの左右方向両側それぞれに半円形の切欠１３ｄ、１３ｄが形成してある。該切欠１３ｄは後述する枢軸１３２の端部に対応した位置にある。円板部１３ａの後面から直角に突出しており、後述する半球部１３４に当接する円筒状の当接部１３ｅが係止爪１３ｆの近傍に設けてある。当接部１３ｅは、左右方向において、円板部１３ａの中心よりもやや右側に位置しており、半球部１３４に対向する位置にある。
【００３９】
当接部１３ｅの左隣には、後述する案内ブロック１３５に案内される案内板１３ｇ、１３ｇが左右に二つ並設してある。案内板１３ｇは円板部１３ａ及び周壁部１３ｂに連なっており、補強板としても機能する。
【００４０】
扉開ボタン１３に対向して、後述する回動部１３１を収容する収容体１３０が洗濯機のシャーシ前面に設けてある。図７に示すように、収容体１３０は、扉開ボタン１３に対応しており、前面が開口した上下に長い箱形をなす。収容体１３０の上下方向中央部分において、前後方向に回動する回動部１３１が設けてある。回動部１３１は左右に長い枢軸１３２を備えており、該枢軸１３２の両端部は収容体１３０の左右側面に回動可能に取り付けてある。
【００４１】
図７に示すように、枢軸１３２の左右方向中央部の下側にブロック状の基台部１３３が設けてある。該基台部１３３の前面右部分には後方に窪んだ凹部が形成してあり、該凹部の底面には曲面状に前方突出した半球部１３４が形成してある。半球部１３４は当接部１３ｅが当接する位置に形成してある。基台部１３３の前面右部分には、前方に突出しており、案内板１３ｇ、１３ｇを案内する直方体状の案内ブロック１３５（案内部）が形成してある。案内ブロック１３５の左右両側面に沿って、二つの案内板１３ｇ、１３ｇがそれぞれ案内されるようにしてある。
【００４２】
基台部１３３の左外側面には、後述する上端フック１４１を引掛ける左方に突出した板状のフック受１３７が設けてある。フック受１３７には上端フック１４１を挿入掛止するフック孔１３７ａが形成してある。収容体１３０の下側面に係止爪１３ｆを受ける爪受部１３６が設けてある。爪受部１３６は収容体１３０の下側面前端部から上方に延出した板状をなす。収容体１３０の下側面において、爪受部１３６の右隣に上端フック１４１を挿入する挿入孔１３８が設けてある。
【００４３】
図５に示すように、係止爪１３ｆは爪受部１３６よりも収容体１３０の内奥側（後側）に位置し、爪受部１３６に係止している。当接部１３ｅの先端部分は半球部１３４に接触している。
【００４４】
図４に示すように、収容体１３０の下方に扉１０を閉鎖するロック装置１５０（ロック部）が設けてある。ロック装置１５０は上下に長い直方体をなし、上面にピン板１５１が設けてある。ピン板１５１はロック装置１５０の上面から上方に突出しており、貫通孔１５２を有する。ロック装置１５０は公知の構成からなる。ロック装置１５０は図示しないロック部材を備え、ラッチ１００が挿入孔１１０に挿入された場合、ロック装置１５０はロック部材をラッチ１００のロック孔１０１に挿入し、扉１０を閉鎖する。ピン板１５１を上方に引き上げた場合、ロック装置１５０が動作してロック部材をロック孔１０１から引き抜き、扉１０の閉鎖を解除する。
【００４５】
図３及び図４に示すように、ピン板１５１及びフック受１３７は引張ばね１４０（弾性部）によって連結されている。引張ばね１４０は上端部及び下端部にそれぞれ上端フック１４１及び下端フック１４２を備えており、上端フック１４１はフック孔１３７ａに挿入され、フック受１３７に掛止している。下端フック１４２は貫通孔１５２に挿通され、ピン板１５１に掛止している。
【００４６】
扉１０が開いている場合にラッチ１００が挿入孔１１０に挿入されると、引張ばね１４０によってフック受１３７には下方への力が作用し、回動部１３１には、枢軸１３２を中心にして扉開ボタン１３に接近する方向（図４における時計回り方向）に回動する力が作用する。回動部１３１の半球部１３４に当接部１３ｅが当接しているので、扉開ボタン１３には枢軸１３ｈ、１３ｈを中心にして前方（図４における時計回り方向）へ回動する力が作用する。すなわち、扉開ボタン１３には、押圧操作の押圧方向と反対側（前側）への力が作用する。扉開ボタン１３の係止爪１３ｆは爪受部１３６に係止し、扉開ボタン１３の前方への移動は阻止され、扉開ボタン１３は姿勢を維持する。上述したように、ロック装置１５０はロック部材をラッチ１００のロック孔１０１に挿入し、扉１０を閉鎖する。
【００４７】
ラッチ１００が挿入孔１１０に挿入された状態で、扉開ボタン１３が押圧操作された場合、扉開ボタン１３は枢軸１３ｈ、１３ｈを支点にして後方（図４における反時計回り方向）へ回動する。当接部１３ｅから回動部１３１に後方への力が作用し、回動部１３１は枢軸１３２を支点にして扉開ボタン１３から離反する方向（図４における反時計回り方向）へ回動する。引張ばね１４０に上方への力が作用し、ピン板１５１が上方へ引き上げられる。ロック部材がロック孔１０１から引き抜かれ、扉１０の閉鎖が解除される。
【００４８】
実施の形態に係る扉開閉機構Ｄ及び洗濯機にあっては、回動部１３１に向けて突出した当接部１３ｅを扉開ボタン１３に設け、引張ばね１４０の付勢力によって扉開ボタン１３への押圧操作による回動方向と逆向きに回動部１３１を回動させているので、回動部１３１によって当接部１３ｅが押圧される。その結果、扉開ボタン１３及び回動部１３１の間に弾性部材を介在させることなく、扉開ボタン１３は押圧操作における押圧方向と逆向きに押圧される。そのため従来、扉開ボタン１３及び回動部１３１の間に設けていた弾性部材及び弾性部材の装着をガイドする部材を廃止して、構成の簡素化及び製造費用の削減を図ることができる。また上述した弾性部材を装着する必要がないので、組立時間の短縮を図ることができ、また弾性部材の装着を失念することによる出荷後の修理を回避することができる。
【００４９】
また回動部１３１における当接部１３ｅに当接した部分は当接部１３ｅに向けて曲面状に突出し、当接部１３ｅの先端部分は曲面上を摺動するので、当接部１３ｅからの押圧力又は弾性部の付勢力による回動部１３１の回動が円滑に行われる。また案内板１３ｇ及び案内ブロック１３５によって扉開ボタン１３の回動が案内され、扉開ボタン１３を確実に回動させることができる。また扉開閉機構Ｄによって、洗濯機の筐体の開口に設けた扉を開閉することができる。
【００５０】
なお案内板１３ｇ及び案内ブロック１３５によって扉開ボタン１３の回動が案内されなくともよい。案内板１３ｇを単に補強板として機能させるだけでもよい。実施の形態に係る扉開閉機構Ｄは洗濯機の右側に設けてあるが、左側に設けてもよい。また扉開閉機構Ｄの構成を左右反転してもよい。例えば当接部１３ｅ及び案内板１３ｇの左右位置を反対にし、これらに対応する半球部１３４及び案内ブロック１３５を反対にしてもよい。またフック受１３７及び貫通孔１５２を半球部１３４及び案内ブロック１３５よりも左側に配置してもよい。また扉開閉機構Ｄは洗濯機のみならず、乾燥機等、扉を備える他の装置にも適用することができる。
【００５１】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００５２】
１  筐体
３  回転ドラム（収容部）
１０  扉
１００  ラッチ
１０１  ロック孔
１１  投入口
１１０  挿入孔
１３  扉開ボタン（操作部）
１３ａ  円板部（対向板）
１３ｅ  当接部
１３ｈ  枢軸
１３ｆ  係止爪（阻止部）
１３０  収容体
１３１  回動部
１３２  枢軸
１３３  基台部
１３４  半球部
１３５  案内ブロック（案内部）
１４０  引張ばね（弾性部）
１４１  上端フック
１４２  下端フック
１５０  ロック装置（ロック部）
Ｄ  扉開閉機構
【図１】
0005818699.tif 000002
【図２】
0005818699.tif 000003
【図３】
0005818699.tif 000004
【図４】
0005818699.tif 000005
【図５】
0005818699.tif 000006
【図６】
0005818699.tif 000007
【図７】
0005818699.tif 000008